(57)【要約】【課題】水道やガス、電気等の検針票など感熱プリンタにより秘匿すべき情報を印字された結果を、印字後のある時間、隠蔽性を付与した上紙を剥がすこと無く、入力ミス、プログラムミスなどによる誤印字の有無を確認することができ、その後は隠蔽性を付与した上紙を剥がすこと以外、第三者が隠蔽情報を見ることが出来ないようにした秘匿情報隠蔽用感熱用紙を提供する。【解決手段】感熱紙である基紙１０と上紙２０とを接着層５０によって接着した用紙３０において、前記基紙１０の裏面の所定部に隠蔽性を齎す印刷層ａを施すと共に、前記上紙２０の表面の所定部に隠蔽性を齎す印刷層ｂを施し、且つ、前記隠蔽性を齎す印刷層ｂと重なるように、前記上紙２０の表面の所定部に加温により消色する示温インキ層４０を施す。【選択図】図１
2008062495.tif 000002
【特許請求の範囲】
【請求項１】
感熱紙である基紙と上紙とを接着層によって接着した用紙において、前記基紙の裏面の所定部に隠蔽性を齎す印刷層ａを施すと共に、前記上紙の表面の所定部に隠蔽性を齎す印刷層ｂを施し、且つ、前記隠蔽性を齎す印刷層ｂと重なるように、前記上紙の表面の所定部に加温により消色する示温インキ層を施したことを特徴とする秘匿情報隠蔽用感熱用紙。
【請求項２】
感熱紙である基紙と上紙とを接着層によって接着した用紙において、前記基紙の裏面の所定部に隠蔽性を齎す印刷層ａを施すと共に、前記上紙の裏面の所定部に隠蔽性を齎す印刷層ｂを施し、且つ、前記隠蔽性を齎す印刷層ｂと相対する前記上紙表面の所定部に加温により消色する示温インキ層を施したことを特徴とする秘匿情報隠蔽用感熱用紙。
【発明の詳細な説明】
【技術分野】
【０００１】
本発明は、水道やガス、電気等の検針票など感熱プリンタにより秘匿すべき情報を印字された結果が、入力ミス、プログラムミスなどによる誤印字の有無を確認するために、隠蔽性を付与した上紙を剥がすこと無く、隠蔽された秘匿情報の確認ができる秘匿情報隠蔽用感熱用紙に関するものである。
【背景技術】
【０００２】
従来、この種の検針票は、感熱プリンタを備えたハンディターミナルで検針結果を印字した後、印字されたデータを検針員が視認により入力ミスをしていないかなどの確認を行っている。
【０００３】
この「今回指針」は、個人情報に適用されないが、その他の確認事項として、個人情報に該当する項目である「今回ご使用量と前回ご使用量」などの比較確認により、今回の使用量が水漏れなどの異変を起こしていないかなどを確認して、利用者のポストなどに入れられていた。
【０００４】
近年、前述した検針結果などの秘匿情報が、第三者に見られないように隠蔽される発明が、例えば、特開平１１−３０１１２６号公報などで出願されている。しかしながら、この特開平１１−３０１１２６号公報で開示される発明では、前述の検針員が確認する項目が隠蔽されているため、上紙である隠蔽部を剥がさなければ、印字結果の確認ができない。
【０００５】
そして、前述の検針員は、検針結果を印字した検針票を隠蔽性を施した封筒に入れて個人情報を保護した後、利用者のポストに入れるようにしているが、封筒に入れる業務は、検針員にとって、手間が掛かるばかりでなく、封筒を持ち歩かなければならないので、解決策が望まれていた。
【０００６】
更に、特開平１１−７３１１０号公報及び特開平１１−１２９６２２号公報に開示される発明では、共に温度変化によって発色・消色を可逆的に繰り返す示温剤を用い、簡便な方法（特開平１１−７３１１０号公報に開示される発明では加温によって消色。特開平１１−１２９６２２号公報に開示される発明では冷却によって発色。）にて秘匿情報を視認可能とするものが提案されているが、双方共に示温剤の原理を理解していれば、容易に秘匿情報を第三者に見られてしまう欠点があった。
【特許文献１】特開平１１−３０１１２６号公報
【特許文献２】特開平１１−０７３１１０号公報
【特許文献３】特開平１１−１２９６２２号公報
【発明の開示】
【発明が解決しようとする課題】
【０００７】
そこで本発明は、水道やガス、電気等の検針票など感熱プリンタにより秘匿すべき情報を印字された結果を、印字後のある時間、隠蔽性を付与した上紙を剥がすこと無く、入力ミス、プログラムミスなどによる誤印字の有無を確認することができ、その後は隠蔽性を付与した上紙を剥がすこと以外、第三者が隠匿情報を見ることが出来ないようにした秘匿情報隠蔽用感熱用紙を提供するものである。
【課題を解決するための手段】
【０００８】
本発明は、上記の課題を解決するためになされたもので、第１の発明は、感熱紙である基紙と上紙とを接着層によって接着した用紙において、前記基紙の裏面の所定部に隠蔽性を齎す印刷層ａを施すと共に、前記上紙の表面の所定部に隠蔽性を齎す印刷層ｂを施し、且つ、前記隠蔽性を齎す印刷層ｂと重なるように、前記上紙の表面の所定部に加温により消色する示温インキ層を施したことを特徴とする秘匿情報隠蔽用感熱用紙である。
【０００９】
第２の発明は、感熱紙である基紙と上紙とを接着層によって接着した用紙において、前記基紙の裏面の所定部に隠蔽性を齎す印刷層ａを施すと共に、前記上紙の裏面の所定部に隠蔽性を齎す印刷層ｂを施し、且つ、前記隠蔽性を齎す印刷層ｂと相対する前記上紙表面の所定部に加温により消色する示温インキ層を施したことを特徴とする秘匿情報隠蔽用感熱用紙である。
【発明の効果】
【００１０】
本発明にかかる秘匿情報隠蔽用感熱用紙は、感熱プリンタで印字することにより、秘匿情報の印字結果と同様の情報が、上紙に設けた示温インキ層が消色して視認可能となり、示温インキ層の消色設定温度よりも低温になると示温インキ層が有色化し印字情報が消滅する。
【００１１】
そして、この印字情報が消滅した後、第三者が基紙に印字された情報を見ようとして示温インキ層に、消色設定温度以上の熱を与えても、加温された示温インキ層部は消色するが、上紙に施した隠蔽性を齎す印刷層ｂにより、基紙に印字された情報は隠蔽されているので、第三者は視認することができないため秘匿情報の保護を保つことができる。
【実施例１】
【００１２】
図１は、第１の発明の実施例の層構成を示す模式図で、この秘匿情報隠蔽用感熱用紙３０は、基紙１０の裏面に隠蔽性を齎す印刷層ａを施すると共に、上紙２０の表面に隠蔽性を齎す印刷層ｂを施し、且つ、隠蔽性を齎す印刷層ｂの一部と重なるように加温により消色する示温インキ層４０を施し、基紙１０の表面と上紙２０の裏面とを接着層５０にて接着されている。
【００１３】
加温により消色する示温インキ層４０を形成する市販の示温剤としては、例えばＳＴカラーＵＶ４７ピンクＴＳ４，ＳＴカラーＵＶ４７ブルーＴＳ４，ＳＴカラーＵＶ４７ブラックＴＳ４（久保井インキ株式会社製）などが用いられる。なお示温剤は一種類でも二種類以上を組み合わせてもよい。
【００１４】
図２は、第１の発明の実施例における基紙１０の裏面を示した平面図で、基紙１０の裏面の所定部に施されている隠蔽性を齎す印刷層ａは、感熱プリンタを備えたハンディターミナルにて印字されると、基紙１０の表面に個人情報が発色される。その個人情報を、第三者に基紙１０の裏面から見られないように施されている。
【００１５】
上述の隠蔽性を齎す印刷層ａは、基紙１０の表面に発色された個人情報を基紙１０の裏面から視認できないように、ベタ印刷が施されている。
【００１６】
図３は、第１の発明を実施例における感熱プリンタを備えたハンディターミナルにて印字される印字欄を示す基紙１０の平面図で、ａｌ、ａ２、ａ３、ａ４、ａ５の各印字欄は、非個人情報が印字される。又、ｂｌ、ｂ２、ｂ３、ｂ４、ｂ５の各印字欄は、個人情報が印字される。
【００１７】
上述の各印字欄は、オーバーレイとして印字しても良いが、感熱プリンタを備えたハンディターミナルのバッテリーの節電と帳票デザイン性の向上を鑑みると、プレ印刷がより好ましい。
【００１８】
図４は、第１の発明の実施例に於ける上紙２０の表面の平面図で、上紙２０の表面の所定部に施されている隠蔽性を斎す印刷層ｂは、感熱プリンタを備えたハンディターミナルにて印字されると、基紙１０の表面に個人情報が発色される。その個人情報を、第三者に上紙２０の表面から見られないように施されている。
【００１９】
上述の隠蔽性を齎す印刷層ｂは、基紙１０の表面に発色された個人情報を上紙２０の表面から認識できないように、べタ印刷が施されている。
【００２０】
又、隠蔽性を齎す印刷層ｂの一部に重なるように、加温により消色する示温インキ層４０が施されている。
【００２１】
この示温インキ層４０は、温度変化によって発色・消色を可逆的に繰り返す示温剤を用い、感熱プリンタを備えたハンディターミナルにて印字されると、印字部の示温インキ層が加温され消色することで、印字結果と同等の個人情報が所謂白ヌキの状態で視認できる。
【００２２】
そして、示温インキ層４０の温度が低下する（有色温度に達する）と、爾後第三者が故意に加温し、個人情報を見ようとしても、示温インキ層４０は消色するだけで個人情報の再現はされず、又、隠蔽性を齎す印刷層ｂにより、基紙１０の表面に発色された個人情報も視認できない。
【００２３】
上述の隠蔽性を齎す印刷層ａ及び／又は隠蔽性を齎す印刷層ｂが施される各々の所定部とは、ｂｌ、ｂ２、ｂ３、ｂ４、ｂ５の各印字欄であるが、上紙２０の表面より本人確認欄及び／又は非個人情報の差出人確認欄を除く領域は、隠敵性を齎す印刷層ａ及び／又は隠蔽性を齎す印刷層ｂが施されても良い。
【００２４】
又、隠蔽性を齎す印刷層ａ及び／又は隠蔽性を齎す印刷層ｂの各隠蔽性を齎す印刷層の目的は、個人情報が視認できないことであり、隠蔽性を齎すベタ印刷に限らず、カムフラージュ効果を齎す印刷であっても良い。更に、基紙１０及び／又は上紙２０が隠蔽効果を齎す加工（遮光紙を接着されたものなど）若しくは隠蔽効果を齎す紙質であれば、隠蔽性を齎す印刷層ａ及び／又は隠蔽性を齎す印刷層ｂを施さなくとも良い。
【００２５】
上述の秘匿情報隠蔽用感熱用紙３０は、例えば、王子製紙製のＤＭ８０Ｂ又はＤＭ８０Ｂ２を使用すれば、隠蔽性を齎す印刷層及び／又は示温インキ層の印刷を施しても、良好の結果が得られ、上紙２０に相当する紙質がグラシン紙を用いているため、本人確認欄及び／又は非個人情報の差出人確認欄（ａ１、ａ２、ａ３）などの非個人情報は鮮明に視認できた。
【実施例２】
【００２６】
図５は、第２の発明の実施例を示し、第１の発明の実施例と比較すると隠蔽性を齎す印刷層ｂを、上紙２０の裏面に施し、基紙１０の表面の個人情報を隠蔽したものであり、第１の発明と同じ効果が得られる。
【００２７】
以上説明したように、本発明によれば感熱プリンタで印字した個人情報の誤入力などの確認を、隠蔽部を剥離しないで容易に視認でき、更に隠蔽部を剥離しない限り個人情報が保護される秘匿情報隠蔽用用紙が得られる。
【図面の簡単な説明】
【００２８】
【図１】実施例１の層構成を示す模式図である。
【図２】実施例１の基紙の裏面の平面図である。
【図３】実施例１の基紙の表面の平面図である。
【図４】実施例１の上紙の裏面の平面図である。
【図５】実施例２の層構成を示す模式図である。
【符号の説明】
【００２９】
１０        基紙
２０        上紙
３０        用紙
ａ，ｂ      隠蔽性を齎す印刷層
４０        示温インキ層
５０        接着層
ａ１〜ａ５  非個人情報印字欄
ｂ１〜ｂ５  個人情報印字欄
【図１】
2008062495.tif 000003
【図２】
2008062495.tif 000004
【図３】
2008062495.tif 000005
【図４】
2008062495.tif 000006
【図５】
2008062495.tif 000007